【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
電気エネルギーの複数の主充電パルスを電池の複数の充電式セルに供給して、電池の共通充電サイクルの間充電式セルを充電し、電気エネルギーの複数の二次充電パルスを電池の共通充電サイクルの間、電池の全ての充電式セルより少ない充電式セルに供給して、全ての充電式セルより少ない充電式セルを充電するように構成される充電回路を有し、
前記充電回路は、一定電流の充電パルスと一定電圧の充電パルスを有する主充電パルスを供給するように構成され、
さらに、前記充電回路は、所定の充電状態より低い充電状態を有する充電式セルに一定電流の充電パルスを供給し、所定の充電状態より高い充電状態を有する充電式セルに一定電圧の充電パルスを供給するように構成される電気システム。
【請求項２】
充電回路は、電気エネルギーの二次充電パルスを、それぞれが、電池の共通充電サイクルの間電気エネルギーの二次充電パルスを受け取らない他の充電式セルの充電状態より低い充電状態を有する、電池の全ての充電式セルより少ない充電式セルに供給する請求項１に記載の電気システム。
【請求項３】
充電回路は、電気エネルギーの二次充電パルスを、電池の全ての充電式セルより少ない充電式セルのそれぞれに供給して、電池の共通充電サイクルの間電気エネルギーの二次充電パルスを受け取らない他の充電式セルの充電速度に比べて速い充電速度で、その電池の全ての充電式セルより少ない充電式セルを充電する請求項２に記載の電気システム。
【請求項４】
充電回路は、電池の共通充電サイクルの間、電気エネルギーの二次充電パルスを受け取らない他の充電式セルの充電状態より低い充電状態を有する、電池の全ての充電式セルより少ない充電式セルのそれぞれに応答して、電気エネルギーの二次充電パルスを、電池の全ての充電式セルより少ない充電式セルに供給するように構成される請求項１に記載の電気システム。
【請求項５】
充電回路は、電気エネルギーの二次充電パルスを、ただ１つの充電式セルに供給する請求項１に記載の電気システム。
【請求項６】
充電回路は、電気エネルギーの二次充電パルスに隣接した、１組の主充電パルスの間の電気エネルギーの二次充電パルスのそれぞれを、全ての充電式セルより少ない充電式セルのそれぞれに供給するように構成される請求項１に記載の電気システム。
【請求項７】
充電回路は、充電式セルに電気エネルギーの主充電パルスを供給するように構成された主充電器と、全ての充電式セルより少ない充電式セルのそれぞれに、電気エネルギーの二次充電パルスのそれぞれを供給するように構成された複数の二次充電器を有する請求項１に記載の電気システム。
【請求項８】
充電回路は、充電式セルに電気エネルギーの主充電パルスを供給するように構成された主充電器と、二次充電パルスを発生するように構成された二次充電器を有し、全ての充電式セルより少ない充電式セルの異なるセルに、二次充電パルスを供給するように構成されたスイッチング回路をさらに有する請求項１に記載の電気システム。
【請求項９】
充電回路は、充電式セルに主充電パルスと二次充電パルスを供給して、電池の共通充電サイクルの間、充電式セルが実質的に同じ充電状態を有する、電池の共通充電サイクルの間、充電式セルを実質的にバランスの取れた充電状態にするように構成される請求項１に記載の電気システム。
【請求項１０】
電池の共通充電サイクルの間、異なる充電状態を有する充電式セルに対応して、電池の複数の充電式セルの異なるセルに、異なるパルス数の電気エネルギーの充電パルスを供給するように構成される充電回路を有し、
前記充電回路は、一定電流の充電パルスと一定電圧の充電パルスを有する主充電パルスを供給するように構成され、
さらに、前記充電回路は、所定の充電状態より低い充電状態を有する充電式セルに一定電流の充電パルスを供給し、所定の充電状態より高い充電状態を有する充電式セルに一定電圧の充電パルスを供給するように構成される充電器。
【請求項１１】
充電式セルの少なくとも１つは、他の充電式セルの充電状態に比べて低い充電状態を有し、充電回路は、共通充電サイクルの間、他の充電式セルに供給される電気エネルギーの充電パルスのそれぞれのパルス数に比べて、大きいパルス数の電気エネルギーの充電パルスを、共通充電サイクルの間、充電式セルの少なくとも１つに供給するように構成される請求項１０に記載の充電器。
【請求項１２】
充電式セルの少なくとも１つは、他の充電式セルの充電状態に比べて低い充電状態を有し、充電回路は、共通充電サイクルの間、主充電パルスを有する複数の充電パルスを全ての充電式セルに供給し、二次充電パルスを有する複数の充電パルスを充電式セルの少なくとも１つのみに供給するように構成される請求項１０に記載の充電器。
【請求項１３】
それぞれが、充電電気エネルギーを受け取り、負荷に電気エネルギーを放電するように構成された複数の充電式セルを有する電池；
共通充電サイクルの間充電式セルを充電するために、複数の主充電パルスを充電式セルに供給し、共通充電サイクルの間、複数の二次充電パルスを少なくとも１つの充電式セルに供給するように構成される充電回路；
電池の他の充電式セルの充電状態より低い充電状態を有する、少なくとも１つの充電式セルを検出するために、電池の共通充電サイクルの間、充電式セルの充電状態を監視するように構成される監視回路；及び
監視回路に接続され、電池の共通充電サイクルの間、少なくとも１つの充電式セルの充電状態を他の充電式セルの充電状態と実質的にバランスを取るために、電池の他の充電式セルの充電状態より低い充電状態を有する、少なくとも１つの充電式セルに二次充電パルスを供給するように充電回路を制御するために、監視回路の監視結果を用いるように構成される制御回路；
を有し、
前記充電回路は、一定電流の充電パルスと一定電圧の充電パルスを有する主充電パルスを供給するように構成され、
さらに、前記充電回路は、所定の充電状態より低い充電状態を有する充電式セルに一定電流の充電パルスを供給し、所定の充電状態より高い充電状態を有する充電式セルに一定電圧の充電パルスを供給するように構成される電気システム。
【請求項１４】
制御回路は、少なくとも１つの充電式セルの充電状態が、他の充電式セルの充電状態と実質的にバランスが取れた後、電池の共通充電サイクルの間、少なくとも１つの充電式セルへの二次充電パルスの供給を止めるように構成される請求項１３に記載の電気システム。
【請求項１５】
複数の第１の瞬間に、電池の第１の数の充電式セルに電気エネルギーを供給して、電池の共通充電サイクルの間、第１の数の充電式セルを充電する工程；
前記充電工程において、一定電流の充電パルスと一定電圧の充電パルスを有する主充電パルスを供給し、さらに所定の充電状態より低い充電状態を有する充電式セルに一定電流の充電パルスを供給し、所定の充電状態より高い充電状態を有する充電式セルに一定電圧の充電パルスを供給すること；
充電式セルの電気特性を監視する工程；
監視結果を用いて、複数の第２の瞬間に電池の第２の数の充電式セルに電気エネルギーを供給して、電池の共通充電サイクルの間第２の数の充電式セルを充電する工程、ここで第２の数は第１の数より小さい；
を有する充電式電池の充電方法。
【請求項１６】
第１の瞬間および第２の瞬間に電気エネルギーを供給する工程は、それぞれ電気エネルギーの複数の充電パルスを供給する工程を有する請求項１５に記載の充電方法。
【請求項１７】
電池の第２の数の充電式セルのそれぞれは、第２の瞬間に電気エネルギーを受け取らない充電式セルの充電状態に比べて低い充電状態を有する請求項１５に記載の充電方法。
【請求項１８】
第２の数の充電式セルへの電気エネルギーの供給は、第２の数の充電式セルのそれぞれが低い充電状態を有することを検出した監視結果に応答するものである請求項１７に記載の充電方法。
【請求項１９】
第２の数の充電式セルへの電気エネルギーの供給は、第２の数の充電式セルのそれぞれの充電速度を増加させる請求項１７に記載の充電方法。
【請求項２０】
第２の数の充電式セルへの電気エネルギーの供給は、充電式セルの１つのみに供給する工程を有する請求項１５に記載の充電方法。
【請求項２１】
第２の数の充電式セルへの電気エネルギーの供給は、第２の瞬間の１つの前に、第１の充電式セルおよび第２の充電式セルに電気エネルギーを供給し、第２の瞬間の１つの後に、第１の充電式セルおよび第２の充電式セルの１つにのみ電気エネルギーを供給する工程を有する請求項１５に記載の充電方法。
【請求項２２】
第２の数の充電式セルへの電気エネルギーの供給は、第２の瞬間の１つの後に、第１の充電式セルおよび第２の充電式セルの他のセルに対する電気エネルギーの供給停止による請求項２１に記載の充電方法。
【請求項２３】
前記供給停止は、第１の充電式セルおよび第２の充電式セルの他のセルの充電状態が、第１の数の充電式セルの充電状態について実質的にバランスが取れていることを検出した監視結果に応答するものである請求項２２に記載の充電方法。
【請求項２４】
第２の数の充電式セルへの電気エネルギーの供給は、第２の瞬間の１つに隣接する１組の第１の瞬間の間である第２の瞬間に、電気エネルギーを供給して行われる請求項１５に記載の充電方法。
【請求項２５】
前記電気エネルギーの供給は、電池の共通充電サイクルの間、電池の充電式セルのバランスを実質的に取るように供給して行われ、電池の共通充電サイクルの間、充電式セルの充電状態を実質的に同じにする請求項１５に記載の充電方法。
【請求項２６】
第１の数の充電式セルに対する電気エネルギーの供給は、電池の全ての充電式セルに電気エネルギーを供給して行われる請求項１５に記載の充電方法。
【請求項２７】
第１の数の充電式セルに対する前記電気エネルギーの供給工程は、まず一定電流を有する複数の充電パルスを供給する第１の供給する工程、その後、一定電圧を有する複数の充電パルスを供給する第２の供給する工程を有する請求項１５に記載の充電方法。
【請求項２８】
充電式セルが所定の充電状態を獲得した後、電気エネルギーの第１の供給から、電気エネルギーの第２の供給へ切り換える工程をさらに有する請求項２７に記載の充電方法。
【請求項２９】
二次充電器を用いて第２の数の充電式セルを充電するために電気エネルギーを供給する工程をさらに有し、第２の数の充電式セルを充電するために電気エネルギーを供給する工程は、異なる瞬間に、二次充電器を第２の数の充電式セルのそれぞれに選択的に接続する工程を有する請求項１５に記載の充電方法。
【請求項３０】
電気エネルギーの複数の主充電パルスを供給して、電池の共通充電サイクルの間電池の複数の充電式セルを充電する工程；及び
電池の共通充電サイクルの間、電気エネルギーの複数の二次充電パルスを供給して、電池の他の充電式セルの充電状態に比べて低い充電状態を有する電池の複数の充電式セルの少なくとも１つを充電する工程；
を有し、
主充電パルスを供給する工程は、一定電流の充電パルスと一定電圧の充電パルスを有する主充電パルスを供給する工程を有し、
さらに、主充電パルスを供給する工程は、所定の充電状態より低い充電状態を有する充電式セルに一定電流の充電パルスを供給する工程と、所定の充電状態より高い充電状態を有する充電式セルに一定電圧の充電パルスを供給する工程を有する充電式電池の充電方法。
【請求項３１】
主充電パルスの供給は電池の全ての充電式セルに供給する工程を有し、二次充電パルスの供給は電池の全ての充電式セルより少ない充電式セルに供給する工程を有する請求項３０に記載の充電方法。
【請求項３２】
電池の充電式セルの電気特性を監視する工程；
低い充電状態を有する少なくとも１つの充電式セルを検出する工程；
を有し、二次充電パルスを供給する工程は、検出結果に応答するものである請求項３０に記載の充電方法。
【請求項３３】
少なくとも１つの充電式セルの充電状態が他の充電式セルの充電状態とバランスが取れていることに応答して、共通充電サイクルの間二次充電パルスを供給を停止する工程を有する請求項３０に記載の充電方法。
【請求項３４】
二次充電パルスの供給は、他の充電式セルの充電速度に比べて、少なくとも１つの充電式セルの充電速度を増加させる請求項３０に記載の充電方法。
【請求項３５】
低い充電状態を有する少なくとも１つの充電式セルを充電するための二次充電パルスの供給は、それぞれの１組の主充電パルスの間の二次充電パルスの１つを供給する工程を有する請求項３０に記載の充電方法。